(57)【要約】【課題】未払い出しの賞数を含む払い出し予定球数が払い出し装置から受け皿の間に設けた貯留部に貯留できない場合にのみ、遊技者に受け皿から賞球を抜き取るように報知して遊技者の作業負荷を低減させることが可能なパチンコ遊技機を提供する。【解決手段】パチンコ遊技機１は、記憶部２２Ａ、筐体２、開閉機構３３、賞球払出装置２４、主制御基板２５、貯留部２３、受け皿満杯センサＬＳ１、払出制御基板２２、液晶モニタ３０を備えている。受け皿満杯センサＬＳ１は、貯留部２３の出口近傍に配置され、受け皿６の賞球の満杯状態を検出する。払出制御基板２２は受け皿満杯センサＬＳ１が受け皿の満杯を検出したとき賞球の未払い出し球数を含む払い出し予定賞球数が所定の球数以上か否かを判定する。上記払い出し予定球数が所定の球数以上のときに、液晶モニタ３０は受け皿６から賞球を抜き取るように報知する。【選択図】図４
2009045206.tif 000002
【特許請求の範囲】
【請求項１】
入賞成立時に所定数の賞球を払い出すパチンコ遊技機であって、
前記賞球の未払い出し球数を記憶する記億部と、
正面側に前記賞球を貯留する受け皿部が設けられた筐体と、
前記受け皿部から前記賞球を抜き取る開閉機構と、
前記受け皿部よりも前記筐体の背面側に配置され、前記賞球を払い出す賞球払い出し部と、
前記賞球払い出し部を駆動する制御部と、
前記賞球払い出し部から払い出された前記賞球を前記受け皿部へ供給する供給経路を形成する貯留部と、
前記貯留部の出口近傍に配置され、前記受け皿部の賞球の満杯状態を検出する満杯センサ部と、
前記満杯センサ部が受け皿の満杯を検出したとき前記賞球の未払い出し球数を含む払い出し予定球数が所定の球数以上か否かを判定する判定手段と、
前記払い出し予定球数が所定の球数以上のときに、前記受け皿部から前記賞球を抜き取るように報知する報知部と、
を備えているパチンコ遊技機。
【請求項２】
前記払い出し予定球数には、前記記憶部に記憶されている未払い出し球数と特別遊技の残り遊技にて払い出される最大予定球数の少なくともいずれか一方が含まれる、
請求項１に記載のパチンコ遊技機。
【請求項３】
前記報知部は、前記賞球の払い出し予定球数が所定の球数未満と判定されたときに、前記センサ部が前記受け皿の満杯状態を検出すると前記受け皿部から前記賞球の抜き取りを推奨する報知を禁止するか、または、抜き取りを推奨しない報知を行う、
請求項１または２に記載のパチンコ遊技機。
【請求項４】
前記貯留部は、前記賞球払い出し部の下方に位置し、前記貯留部の下流側に形成された前記出口を介して前記受け皿部と接続され、
前記センサ部は、前記貯留部の下部に配置されている、
請求項１から３のいずれか１項に記載のパチンコ遊技機。
【請求項５】
前記貯留部は、その上部に前記賞球が所定のレベル位置まで貯留されているか否かを検出するオーバーフローセンサ部をさらに備え、
前記制御部は、前記オーバーフローセンサ部が前記貯留部の満杯状態を検出したときに、前記賞球払い出し部を停止させる、
請求項１から４のいずれか１項に記載のパチンコ遊技機。
【請求項６】
前記制御部は、前記賞球の払い出し予定球数が所定の球数以上のときに前記満杯センサ部が前記賞球を検出すると、前記賞球払い出し部の払い出し速度を遅くする、
請求項１から５のいずれか１項に記載のパチンコ遊技機。
【請求項７】
前記開閉機構は、前記受け皿部の下部に配置されており、前記制御部は、前記賞球の払い出し予定球数が所定の球数以下のときに、前記開閉機構を不能動状態とする、
請求項１から６のいずれか１項に記載のパチンコ遊技機。
【発明の詳細な説明】
【技術分野】
【０００１】
この発明は、パチンコ遊技機に関する。
【背景技術】
【０００２】
従来、パチンコ遊技機では、賞球を払い出す払い出し装置から受け皿へと続く供給経路にセンサを配置し、供給経路の下流側に位置する受け皿が賞球で満杯になっているか否かを検出する。そして、賞球で受け皿が満杯になっている場合には、賞球の払い出しを一時的に停止させ、あるいは、賞球を発射させる発射ハンドルの操作を無効化するといった措置が講じられている。この際、受け皿が賞球で満杯になると、満杯ランプ等の警報手段が作動して、遊技者に受け皿から賞球を玉箱等に移して抜き取るように報知する。
【０００３】
しかし、賞球を受け皿から玉箱に移しても、その後に、遊技の進行状況によっては賞球の持ち球数が減少し、全部を消費することもある。
【０００４】
このような場合には、玉箱から賞球を受け皿へと戻さなければならず、遊技者の作業負荷が大きくなると共に、遊技を続行する意欲を減退させることにもなりかねない。
【０００５】
パチンコ遊技機の中には、上記センサが賞球を検出しても未払い出し賞球が無い場合の報知態様と、未払い出し賞球がある場合の報知態様と、を変化させることで、遊技者が不要な賞球の移し代え作業を行わないようにすることも提案されている（特許文献１参照。）。
【特許文献１】特開２００３−３０５２６９号公報
【発明の開示】
【発明が解決しようとする課題】
【０００６】
しかしながら、上記特許文献１に示すパチンコ遊技機では、未払い出し賞球の球数が少ない場合については何ら検討されていない。すなわち、未払い出し賞球の球数が極めて少ない場合でも、受け皿から玉箱へ賞球を移して抜き取るように、遊技者に報知がなされるので、遊技者の作業負荷の低減を十分図ることができなかった。
【０００７】
そこで、本発明に係るパチンコ遊技機では、未払い出しの賞数を含む払い出し予定球数が払い出し装置から受け皿の間に設けた貯留部に貯留できない場合にのみ、遊技者に受け皿から賞球を抜き取るように報知して遊技者の作業負荷を低減させることが可能なパチンコ遊技機を提供することを目的とする。
【課題を解決するための手段】
【０００８】
この発明のパチンコ遊技機は、入賞成立時に賞球を払い出すパチンコ遊技機であって、
未払い出しの賞球記憶部と、受け皿を備えた筐体と、受け皿から賞球を球箱に移し替える為の開閉機構と、前記受け皿に賞球を払い出すための賞球払い出し部と、賞球払い出し部を制御する制御部と、前記賞球払い出し部と受け皿との間に形成された貯留部と、前記受け皿の満杯状態を検出する満杯センサ部と、払い出し予定球数が所定の球数以上か否かを判定する判定手段と、受け皿から球箱への移し替え時期を報知する報知部とを備えている。
【０００９】
記憶部は主に未払い出し賞球の個数を記憶する。筐体は遊技盤の下部正面側に賞球を貯留する所定容量の受け皿部が設けられている。開閉機構は、受け皿部から球箱へ賞球を移し替えるとき遊技者の操作に応じて賞球を抜き取るのに使用される。賞球払い出し部は、筐体の背面側に配置され、入賞に応じて前記受け皿部に賞球を払い出す。制御部は、賞球払い出し部を駆勤する。貯留部は、賞球払い出し部から払い出された賞球を受け皿部へ供給する供給経路の一部を形成する。満杯センサ部は、貯留部の下流側に配置され、前記受け皿が賞球で満杯状態になったか否かを検出する。判定手段は、前記満杯センサ部が受け皿の満杯を検出したとき前記記憶部に記憶された未払い出しの賞球や大当り中の払い出し最大予定球数を含む払い出し予定球数が所定の球数以上であるか否かを判定する。報知部は、前記判定手段が払い出し予定球数が所定の球数以上であると判定したときに、受け皿部から賞球を抜き取るように遊技者に報知する。ここで、所定の球数には、満杯センサ部が賞球を検出したときに、貯留部の残りの空間に貯留できる賞球の球数が含まれる。なお、入賞とは、賞球の払い出しを受ける状態を意味する。
【００１０】
この構成では、満杯センサ部が受け皿の満杯状態を検出し、且つ、賞球の払い出し予定球数が所定の球数以上のときに、受け皿部から賞球を抜き取るように報知することができる。
【００１１】
このため、払い出し予定の賞球が貯留部に貯留できない場合にのみ、遊技者に受け皿から賞球を抜き取るように報知することができる。これにより、遊技者が受け皿から取り除いた賞球を再度受け皿へと戻す作業を従来よりも減らすことができる。
【００１２】
この構成において、払い出し予定球数には、記憶部に記憶されている未払い出し球数と、特別遊技の残り遊技にて払出される最大予定球数の少なくともいずれか一方が含まれていても良い。このため、未払い出しの賞球の球数あるいは特別遊技の残り遊技で払出される最大予定賞球の球数を基にして、貯留部に賞球が貯留できない場合にのみ、遊技者に受け皿から賞球を抜き取るように報知することができる。
【００１３】
この構成において、報知部は、賞球の払い出し予定球数が所定の球数未満のときに、満杯センサ部が賞球を検出すると受け皿部から賞球の抜き取りを推奨する報知を禁止するか、または、賞球の抜き取りを推奨しない報知を行っても良い。このため、遊技者は受け皿部が満杯でも賞球を抜き取る必要が無いことが分かるので、遊技に集中することができる。
【００１４】
また、貯留部は、払い出し部の下方に位置し、貯留部の下流側に形成された出口を介して受け皿部と接続されている。満杯センサ部は、貯留部の下部に配置されていても良い。このため、受け皿部から貯留部の下部まで賞球が貯留されているのを満杯センサ部によって検出することができる。
【００１５】
さらに、パチンコ遊技機は、オーバーフローセンサ部をさらに備えていても良い。オーバーフローセンサ部は、貯留部の上部に配置され、賞球が所定の位置まで貯留されているか否かを検出する。制御部は、オーバーフローセンサ部が賞球を検出したときに、賞球払い出し部を停止させる。このため、貯留部に貯留されている賞球が貯留部の上部に位置するオーバーフローセンサ部によって検出されたときに、賞球払い出し部からの賞球の払い出しを停止させ、賞球払い出し装置の球詰まりなどのトラブルを回避することができる。
【００１６】
なお、制御部は、賞球の払い出し予定球数が所定の球数以上のときに満杯センサ部が受け皿の満杯状態を検出すると、賞球払い出し部の払い出し速度を遅くしても良い。これにより、貯留部が払い出された賞球によって満杯になるまでの時間をより長くすることができ、遊技者も時間的余裕を持って球抜き操作を行うことが出来る。
【００１７】
なお、開閉機構は、受け皿部の下部に配置されていても良い。制御部は、払い出し予定球数が所定の球数以下のときに、開閉機構を不能動状態とする。
【００１８】
これにより、払い出し予定球数が所定の球数以下のときに、開閉機構をロックして不要な賞球の抜き取り作業を防止することができる。
【発明の効果】
【００１９】
この発明によれば、遊技者の賞球の移し替え作業の作業負荷を低減することができる。
【発明を実施するための最良の形態】
【００２０】
以下に、この発明の一実施形態に係るパチンコ遊技機について図面を参照しつつ詳細に説明する。
【００２１】
図1は、パチンコ遊技機１の全体構成を示す斜視図である。図２は、パチンコ遊技機１の背面視における構成を模式的に示す図である。図３は、パチンコ遊技機１の背面視における供給経路Ａ周辺の構成を模式的に示した図である。
【００２２】
パチンコ遊技機１は、主として、筐体２、遊技盤４、賞球払出装置２４、開閉機構３３、主制御基板２５および払出制御基板２２からなる主制御部５０、演出用制御基板６０、液晶モニタ３０を含む液晶表示ユニット６１、受け皿満杯センサＬＳ１、貯留部満杯センサＬＳ２、を備えている。
【００２３】
正面視において、前記筐体２は、縦長の長方形状に形成されており、図１に示すように、外枠３、前扉４Ａ、本体枠４Ｂ、下部カバー４Ｃ、によって形成されている。
【００２４】
前扉４Ａは、正面側の中央部下部から上部までを覆う矩形状のカバーである。前扉４Ａの正面側の中央部には円形の開口部が形成されており、この開ロ部の裏面には二枚のガラス板が所定間隔を存して嵌め込まれている。また、前扉４Ａおよび本体枠４Ｂは、正面視において左側端をヒンジ機構によって外枠３に回動可能に支持されている。
【００２５】
下部カバー４Ｃは、前扉４Ａの下側に配置されており、正面視において左側端をヒンジ機構によって本体枠４Ｂの前面に回転可能に支持されている。
【００２６】
図中、４Ｄは、下部カバー４Ｃの直下に配置されており、前記外枠３の正面側の下端部を覆う化粧板である。
【００２７】
外枠３は、筐体２の外周部を形成する木枠であり、遊技場に設置する場合には、まず、この外枠３を遊技場の島に釘などで固定することで、前扉４Ａ、本体枠４Ｂ、下部カバー４Ｃを上記のように開閉可能に支持している。
【００２８】
遊技盤４は、液晶モニタ３０、ゲート、普通入賞口、始動入賞口、大入賞口、遊技釘等を正面側に配設している。なお、ゲートおよび各入賞口には、後段にて詳述するゲートセンサ４２、普通入賞口センサ４０、始動入賞口センサ４１、大入賞ロセンサ４３が内蔵されている。ここで、上記ゲートや、各入賞口へパチンコ球が入ることによって入賞が成立する。
【００２９】
上部タンク２１は、遊技盤４の背面側の左上に配置されており、パチンコ遊技機を設置する遊技店のパチンコ球供給設備（図示せず）から随時補給されるパチンコ球を貯留する。
【００３０】
図２および図３に示すように、タンクレール２１Ａは、前記上部タンク２１の下方に配設されており、上部タンク２１の底部に形成された開口から下方の賞球払出装置２４へと供給経路Ａに沿ってパチンコ球を供給する。なお、図３（Ａ）は供給経路Ａ周辺の構成を模式的に示す図である。図３（Ｂ）は、図３（Ａ）に含まれる開口部５Ａおよび受け皿満杯センサＬＳ１周辺の構成を拡大した図である。
【００３１】
賞球払出装置２４は、下方に配設された貯留部２３を通じ入賞に応じてパチンコ球を受け皿６へ払い出す。
【００３２】
貯留部２３は、賞球払出装置２４の下方に配設されており、賞球払出装置２４から下方へと略垂直に延びる供給通路２３Ａと、パチンコ球を貯留するタンク部２３Ｂと、を有している。
【００３３】
供給通路２３Ａは、賞球払い出し装置２４から払い出されたパチンコ球を供給経路Ａに沿って下流側のタンク部２３Ｂへと供給するための通路である。
【００３４】
タンク部２３Ｂは、供給通路２３Ａの直下流側の下方に位置し、供給通路２３Ａと透明な合成樹脂により一体に形成されている。
【００３５】
タンク部２３Ｂの底部は、図３（Ａ）に示すように、供給通路２３Ａ側からタンク部２３Ｂの底部に位置する開口部５Ａへ向かって緩く傾斜して形成されている。このため、タンク部２３Ｂに上流側から供給されたパチンコ球を開口部５Ａから正面側に位置する払い出し口５（図１参照）を経て受け皿６へ次々と供給することができる。
【００３６】
ここで、図３（Ａ）に示すように、背面視において開口部５Ａは筐体２の左下部に位置し、正面視において受け皿６の右端に形成された払い出し口５へ接続されている。
【００３７】
受け皿満杯センサＬＳ１は、図３（Ａ）、（Ｂ）に示すように、タンク部２３Ｂにおいて、傾斜した底面とその下方に問を空けて形成された平坦な底面との間に設けられた段差部分に配置されている。受け皿満杯センサＬＳ１は、タンク部２３Ｂの段差部分に回転可能に支持されている板状の検知片７Ａと、検知片７Ａの背後に配置されているリミットスイッチ７Ｂと、を有している。受け皿満杯センサＬＳ１は、パチンコ球の有無を検出する。
【００３８】
ここで、検知片７Ａがリミットスイッチ７Ｂと離間し押圧力を受けていない場合には、受け皿満杯センサＬＳ１はＯＦＦ状態となる。一方、検知片７Ａが貯留部２３内の玉圧によりリミットスイッチ７Ｂを押圧している場合には、受け皿満杯センサＬＳ１はＯＮ状態となる。
【００３９】
検知片７Ａは、パチンコ球によって押圧されていないときは、リミットスイッチ７Ｂと離間した状態でタンク部２３Ｂに支持される。一方、検知片７Ａは、パチンコ球によって押圧されると、押圧力によってリミットスイッチ７Ｂの方へと回転しリミットスイッチ７Ｂの作動凸片と当接する。
【００４０】
貯留部満杯センサＬＳ２は、賞球払い出し装置２４の直下に位置する供給通路２３Ａの上端近傍に位置している。貯留部満杯センサＬＳ２は、供給通路２３Ａの側面に回転可能に支持されている板状の検知片８Ａと、検知片８Ａの近傍に配置されているリミットスイッチ８Ｂと、を有している。貯留部満杯センサＬＳ２は、貯留部内のパチンコ球がオーバーフロー状態にあることを検出する。
【００４１】
ここで、検知片８Ａがリミットスイッチ８Ｂと離間している場合には、貯留部満杯センサＬＳ２はＯＦＦ状態となる。一方、検知片８Ａが供給通路２３Ａに堆積したパチンコ球の玉圧によりリミットスイッチ８Ｂと当接している場合には、貯留部満杯センサＬＳ２はＯＮ状態となる。
【００４２】
検知片８Ａは、パチンコ球によって押圧されていないときは、リミットスイッチ８Ｂと離間した状態で供給通路２３Ａの側面に支持されている。一方、検知片８Ａは、パチンコ球によって押圧されると、押圧力によってリミットスイッチ８Ｂの方へと回転しリミットスイッチ８Ｂの作動凸片と当接する。
【００４３】
受け皿６は、下部カバー４Ｃから遊技者側に向かって前方に突出し、上面視において前端が前方に突出した弧状を成し、中央部が窪んだ形状に形成されている。受け皿６は、正面視において右側に位置する払い出し口５を介して供給されるパチンコ球を貯留する。受け皿６の底部には、球抜き孔３４が形成されている。
【００４４】
開閉機構３３は、球抜き孔３４を開閉する開閉シャッター３３Ａ、開閉シャッター３３Ａと当接し開閉シャッター３３Ａを水平方向に回動させる球抜き操作ボタン３３Ｂ、ロックユニット３３Ｃ、ロック解除ボタン３３Ｅ、を有している。
【００４５】
開閉シャッター３３Ａは、受け皿６の底部に内蔵されており、図示しないばねによって背面から正面へ向い、開閉シャッター３３Ａにて前記球抜き孔３４を閉じる方向へ付勢されている。すなわち、受け皿６に貯留されているパチンコ球を下方へと抜き取る際には、球抜き操作ボタン３３Ｂを正面から水平に押し込む方向に操作すると上記ばねの付勢力に抗し開閉シャッター３３Ａが水平方向に回動し、疎抜き孔３４が開かれる。
【００４６】
ロックユニット３３Ｃは、開閉シャッター３３Ａの背面側の直下方に配置されており、上下方向に移動自在なピン３３Ｄを有している。ロックユニット３３Ｃは、主制御基板２５によって制御されており、主制御基板２５は受け皿６の内部において上方に位置する規制位置と下方に位置する退避位置とにピン３３Ｄの位置を切り替える。
【００４７】
ピン３３Ｄが規制位置に位置するとき、ピン３３Ｄは開閉シャッター３３Ａと当接し開閉シャッター３３Ａの背面側への回動を規制する。
【００４８】
ピン３３Ｄが退避位置に位置するとき、ピン３３Ｄは開閉シャッター３３Ａと当接しない。このため、開閉シャッター３３Ａを背面側へと回動させることができる。
【００４９】
ロック解除ボタン３３Ｅは、受け皿６の正面側下部に設けられており、ロック解除ボタン３３Ｅが背面側へと押下されると、主制御基板２５はピン３３Ｄを規制位置から退避位置へと移動させる。これにより、球抜きを行なう必要がある場合、例えば、遊技者が遊技を終了する場合には、スムーズに球抜きを行なうことができる。
【００５０】
ここで、図４は、パチンコ遊技機１全体の構成と、主制御部５０から出力される制御信号の流れと、を示す模式図である。以下、図４を用いて主制御部５０から出力される制御信号の流れについて説明する。
【００５１】
パチンコ遊技機１は、機体各部の動作を統括制御する主制御部５０と、主制御部５０からの各種制御信号に基づき演出を実行する演出用制御基板６０と、発射制御基板７０等の副制御基板を備えている。
【００５２】
主制御部５０は、始動口への入賞を契機に内部抽選を行ったり、抽選結果に応じて大入賞口を開放制御したりする主制御基板２５と、賞球払出装置２４を制御する払出制御基板２２と、を備えている。
【００５３】
主制御基板２５および払出制御基板２２は、それぞれ個別のケースに収められ、互いにハーネスで接続されている。また、図２に示すように、背面視において、主制御基板２５は筐体２内の下部左側に配置されている。さらに、払出制御基板２２は、主制御基板２５の右側に配置されている。
【００５４】
主制御基板２５は、パチンコ球が始動口へ入り入賞したときに、抽選処理を行なう。そして、抽選処理の結果に応じて大入賞口を開放させる。また、主制御基板２５は、各入賞口毎に払い出すべきパチンコ球の数を記憶し、記憶している賞球数に応じて払出制御基板２２に賞球コマンドを送信する。一方、払出制御基板２２は、この賞球コマンドに基づいて賞球払出装置２４を駆動し所定個数のパチンコ球を払い出させる。主制御基板２５は、普通入賞口センサ４０、始動入賞口センサ４１、ゲートセンサ４２、大入賞ロセンサ４３、大入賞口ソレノイド４４、普通電役ソレノイド４５、等を制御する。また、主制御基板２５は、電波検知センサ４７、磁気検知センサ４８、扉開放検知センサ４９等と接続されており、各センサを制御している。
【００５５】
始動入賞口センサ４１は、遊技盤４に設けた始動入賞口へパチンコ球が入球するのを検出する。普通入賞口センサ４０は、普通入賞口へパチンコ球が入球するのを検出する。ゲートセンサ４２は、パチンコ球が遊技盤４のゲートを通過するのを検出する。大入賞ロセンサ４３は、大入賞□への入球を検出する。普通電役ソレノイド４５は、始動入賞口の左右両端に配設される弧状の電動チューリップを開閉駆動させる。大入賞口ソレノイド４４は、大入賞口を覆っている板状のパネルを開閉駆動する。図柄表示器４６は、ゲートヘのパチンコ球通過や始動入賞口への入球を契機に主制御基板２５で行われる内部抽選の結果を表示する。さらに、主制御基板２５には、パチンコ遊技機に対する不正行為を検出するための電波検知センサ４７、磁気検知センサ４８、扉開放検知センサ４９が接続されている。また、主制御基板２５はロックユニット３３Ｃの位置を制御する。
【００５６】
演出用制御基板６０は、液晶表示ユニット６１、スピーカ１１、電飾ランプ６２を制御する。
【００５７】
液晶表示ユニット６１は、主制御基板２５において行われる抽選処理の結果に関連した内容の演出映像を表示する。スピーカ１１は、例えば、内部抽選の結果に関連した音を出力する。そして、電飾ランプ６２は遊技の進行に応じて所定のタイミングで点滅あるいは点灯制御される。
【００５８】
払出制御基板２２は、賞球払出装置２４の払出モータ５１を駆動制御するとともに、払出検知センサ５２、上部タンク２１に設けられるタンク球切れセンサ５３の検出信号に基づいて前記払出モータ５１の発停を制御する。また、払出制御基板２２は、発射中継基板８２を介して、受け皿満杯センサＬＳ１、貯留部満杯センサＬＳ２から制御信号を受信する。さらに、払出制御基板２２は、タッチスイッチ５５、発射ストップスイッチ５６の検出信号を発射中継基板８２および発射制御基板７０を介して受信しつつ、発射モータ５４の駆動を制御する。
【００５９】
タッチスイッチ５５は、発射ハンドル１０に遊技者が触れているか否かを検出する。発射ストップスイッチ５６は、遊技者が操作する事によりパチンコ球の発射を一時的に停止させる。主制御部５０に含まれる主制御基板２５や払出制御基板２２には、セキュリティー性の向上を目的として、セグメントにＣＰＵ,ＲＯＭ,ＲＡＭを内蔵したワンチップ型マイクロコンピュータが実装されている。
【００６０】
ただし、演出用制御基板６０については、液晶表示ユニット６１などを駆動する必要上、処理速度の速いＣＰＵが実装されていると共に、ＲＯＭおよびＲＡＭについても主制御基板２５や払出制御基板２２より大容量のものが用いられる。
【００６１】
一方、発射制御基板７０は、払出制御基板２２に接続され、その制御下で発射モータ５４の動作を制御する。演出用制御基板６０は、中継基板８１を介して主制御基板２５に接続され、主制御基板２５からの制御コマンドに基づき、演出に関する制御を行う。なお、演出用制御基板６０から主制御基板２５に対して制御信号や状態信号が送信されることはない。但し、前記主制御基板２５と払出制御基板２２とは、双方向通信が可能に接続されており、主制御基板２５から払出制御基板２２には、払出制御信号や状態信号などが一方向に送信される。払出制御基板２２は、後段にて詳述する払い出し予定賞球の一部である未払い出し賞球数を記憶する記憶部２２Ａを有している。また、払出制御基板２２は、主制御基板２５から払出制御信号を受けると、払出検知センサ５２からの検知信号に基づき払い出された球数を計数しつつ、この計数値が払出制御信号により指示された値になるまで、払出モータ５１に賞球信号(具体的には、払出モータ５１の駆動パルス信号)を出力する。
【００６２】
ここで、払出制御基板２２は、上記賞球信号を払出モータ５１へ出力しているときに、貯留部満杯センサＬＳ２がＯＮ状態になると払出モータ５１への駆動信号の出力を停止させる。
【００６３】
記憶部２２Ａは、払出制御基板２２に実装されているメモリ（ＲＡＭ）によって形成されており、払い出し予定賞球の球数が記憶されている。より具体的には、記憶部２２Ａは、賞球払出装置２４を停止制御することにより生じた未払い出しの賞球数や、主制御基板２５から新たに受けた払出制御信号によって増加した未払い出しの賞球数を記憶している。また、記憶部２２Ａには、主制御基板２５から賞球コマンドとは別に送信されてくる特別遊技の残りラウンド（遊技期間）中の入賞によって払い出される賞球の最大数も一時的に記憶される。なお、払い出し予定賞球数とは、上記特別遊技の残りラウンド中の入賞によって払い出される賞球の最大数、および上記未払い出し賞球数の合計数である。なお、本実施形態では、上記のように、払い出し予定賞球数には、特別遊技の残りラウンド中の入賞によって払い出される賞球の最大数が含まれる例を挙げて説明したが、本発明はこれに限定されるものではない。例えば、主制御部５０の仕様に応じて、払い出し予定賞球数は、上記未払い出し賞球数のみに基づいて算出するようにしても良い。
【００６４】
なお、本実施形態では、記憶部は、払出制御基板２２に実装されたＲＡＭによって形成されている例を挙げて説明している。しかし、本発明はこれに限定されるものではない。例えば、記憶部は、主制御基板２５に実装されたＲＡＭによって形成されていても良いし、他の基板に実装されているＲＡＭ等の記憶デバイスによって形成されていても良い。
【００６５】
払出制御基板２２には、発射中継基板８２を介して発射制御基板７０が接続される。また、払出制御基板２２は、特別遊技（大当たり遊技）等の各種状態信号や賞球信号等の遊技情報をホールコンピュータ（図示せす）に出力する外部端子盤５７と、台間玉貸装置（図示せず）を接続するための玉貸装置接続用基板５８と、が接続されている。
【００６６】
なお、主制御基板２５や各副制御基板の管轄下の入出力部も、中継基板を介して接続される場合もあるが、図４では、これらの中継基板については図示を省略している。また、図４において、電源の供給経路を白抜き矢印で示している。これらの矢印が示すように、外部から供給された２４Ｖ交流電源は、電源基板９０で直流に変換され、電源分配基板９１、を介して主制御基板２５および玉貸装置接続用基板５８に供給される。主制御基板２５に供給された電源は、中継基板８１を介して演出用制御基板６０に分配され、更に、液晶表示ユニット６１や電飾ランプ基板に分配されると共に、払出制御基板２２に供給された電源は、発射中継基板８２を介して発射制御基板７０にも分配される。液晶表示ユニット６１は、液晶モニタ３０、冷陰極管等を含んでいる。
【００６７】
図５は、パチンコ遊技機１の主制御基板２５における大当たり処理の流れを含む制御の流れを示すフローチャートである。
【００６８】
ステップＳ１では、主制御基板２５は保留球がＲＡＭに記憶されているか否かを判定する。すなわち、始動入賞口にパチンコ球が入賞すると保留球が加算されるので、ここに保留球が記憶されている場合には、内部抽選処理が実行され（ステップＳ２）、演出用制御基板６０を介して液晶モニタ３０に図柄変動表示を伴う演出が実行される（ステップＳ４）。なお、内部抽選が1回実行される毎に保留球数は1減算される（ステップＳ３）。
【００６９】
さらに、上記内部抽選処理の結果、大当たりした場合には、主制御基板２５は、液晶モニタ３０を介して大当たり報知（ステップＳ６）を行なうとともに、大当たり処理（ステップＳ７）を実行し、大当たりラウンドが終了するまで上記大当たり処理が繰り返し実行される。
【００７０】
なお、大当たり判定（ステップＳ５）の結果、大当たりしていなかった場合には、はずれ処理が実行される（ステップＳ９）。
【００７１】
図６は、パチンコ遊技機１の主制御基板２５における賞球コマンドの送信処理を含む制御の流れを示すフローチャートである。
【００７２】
主制御基板２５は、始動入賞口への入賞を判定し（ステップＳ１０）、払出制御基板２２へ賞球コマンドを送信する（ステップＳ１１）。そして、保留球数が上限数（４球）に達していない場合には、保留数を一つ加算する（ステップＳ１２、ステップＳ１３）。
【００７３】
さらに、主制御基板２５は、普通入賞口へ入賞した場合には、払出制御基板２２へ賞球コマンドを送信する（ステップＳ１４、１５）。
【００７４】
図７は、パチンコ遊技機の大当たり処理（ステップＳ６）における処理の流れを具体的に示すフローチャートである。
【００７５】
ここで、大当たり処理が実行されると、主制御基板２５は、液晶モニタ３０を介してラウンド数を報知する演出を実行する（ステップＳ２０）。また、主制御基板２５は、大当たりラウンド終了までに払い出される賞球の最大数を最大払い出し予定数コマンドとして払出制御基板２２へと送信する。そして、主制御基板２５は、各入賞口へのパチンコ球の
入賞に応じて賞球コマンドを払出制御基板２２へと送信する（ステップＳ２２）。さらに、所定時間の経過や、賞球の払い出し数が上記最大払い出し予定数に到達すると、ＲＡＭに記憶されている残り大当たりラウンド数を一つ減らして更新する（ステップＳ２３）。
【００７６】
図８は、払出制御基板２２の報知制御の流れを示すフローチャートである。
【００７７】
払出制御基板２２は、受け皿満杯センサＬＳ１がＯＮ状態であるか否かを判定する（ステップＳ３０）。ここで、受け皿満杯センサＬＳ１がＯＮ状態である場合には、払い出し予定賞球数が規定個数以下であるか否かを判定する（ステップＳ３１）。また、受け皿満杯センサＬＳ１がＯＦＦ状態である場合には、液晶モニタ３０に遊技者に球抜きを推奨する演出が表示されているか否かを判別し、上記演出が表示されている場合には、球抜き表示を消去させる（ステップＳ３５、ステップＳ３６）。なお、規定個数には、例えば、受け皿満杯センサＬＳ１がＯＦＦ状態からＯＮ状態に切り替わって賞球を検出したときに、貯留部２３の残りの空間に貯留可能な賞球数が含まれる。より具体的には、例えば、受け皿満杯センサＬＳ１が賞球を検出したときに、タンク２３Ｂに貯留可能な賞球数や、貯留部満杯センサＬＳ２がＯＦＦ状態からＯＮ状態に切り替わらない賞球数を規定個数として設定しても良い。
【００７８】
ステップＳ３１において、払い出し予定賞球数が規定個数以下であると判定された場合には、払出制御基板２２は、「球抜き操作不要です」との表示を液晶モニタ３０に表示させる表示コマンドを主制御基板２５を介して演出用制御基板６０へ送信する（ステップＳ３２）。そして、上記表示を開始してからの時間が５秒を経過すると、上記表示を消去するコマンドを払出制御基板２２は主制御基板２５へ送信する（ステップＳ３３、ステップＳ３４）。ステップＳ３１にて図１に示した受け皿６内のロックユニット３３Ｃのピン３３Ｄを図示なき電磁ソレノイドの働きによって規制位置に移動させ、遊技者が誤って不要な球抜き操作を行なうのを防止すると共に、ステップＳ３４にて「球抜き不要です」の表示の消去と共に、ピン３３Ｄを退避位置に移動させれば良い。これにより、遊技者が無駄な球抜き作業を行なってしまうことを防止することができる。
【００７９】
また、ステップＳ３１において、払い出し予定賞球数が規定個数よりも多いと判定された場合には、払出制御基板２２は、「球抜きしてください」との表示を液晶モニタ３０に表示させる表示コマンドを主制御基板２５を介して演出用制御基板６０へ送信する（ステップＳ３７）。
【００８０】
これにより、払い出し予定賞球がある場合において、払い出し予定賞球数が規定個数よりも多いときだけ遊技者に球抜きを推奨するメッセージを表示して報知する。このため、従来よりも遊技者が無駄な球抜き作業を行なう機会が減少するので、遊技者の球抜き作業の負荷を軽減させることができる。また、遊技者が球抜き作業を行なう回数を従来よりも減少させることができるので、遊技者は遊技に集中し易くなるといった効果もある。
【００８１】
また、上記ステップＳ３２では、払出制御基板２２は液晶モニタ３０に「球抜き操作不要です」の表示コマンドを送信する例を挙げて説明した。しかし、本発明はこれに限定されるものではない。例えば、上記ステップＳ３２における報知を行なわなくても良い。この場合には、ステップＳ３７において球抜きが必要な場合にのみ遊技者に球抜きの報知を行なうことができる。
【００８２】
図９は、払出制御基板２２における賞球払い出しの流れを示すフローチャートである。
【００８３】
払出制御基板２２は、貯留部満杯センサＬＳ２がＯＮ状態であるか否かを判定し（ステップＳ４０）、ＯＮ状態の場合には、賞球払出装置２４を停止させる（ステップＳ４１）。これにより、球詰まりなどのトラブルが賞球払出装置２４に発生するのを回避することができる。
【００８４】
また、払出制御基板２２は、貯留部満杯センサＬＳ２がＯＦＦ状態の場合には、受け皿満杯センサＬＳ１がＯＮ状態か否かを判定し（ステップＳ４２）、払い出し予定賞球数が規定個数以下であるか否かを判定する（ステップＳ４３）。ここで、ステップＳ４２において受け皿満杯センサＬＳ１がＯＦＦ状態である場合、ステップＳ４３において払い出し予定賞球数が規定個数以下である場合には、賞球払出装置２４の賞球払い出し速度を通常モードに変更する（ステップＳ４６）。
【００８５】
また、ステップＳ４３において、払い出し予定賞球数が規定個数よりも多い場合には、払出制御基板２２は賞球払出装置２４の賞球払い出し速度を低速モードへと変更する（ステップＳ４５）。
【００８６】
本ステップ４５のように、賞球払出装置２４から低速でパチンコ球を払い出すことで、貯留部２３がパチンコ球で満杯になるまでの時間を通常の速度で賞球払出装置２４がパチンコ球を払い出す場合よりも長くすることができる。これにより、貯留部満杯センサＬＳ２がパチンコ球を検知してＯＮ状態となるまでの時間をより長くして、遊技者が球抜き操作を行なう時間を長くすることができる。このため、遊技者が球抜き操作を行なう時間的余裕を広げることができる。なお、賞球払出装置２４の払い出し速度を低下させる手段としては、払出モータ５１の速度を低下させる場合の他、例えば、１５球ずつ間欠的に払い出すときにインターバルを通常よりも長くすることによっても達成される。
【００８７】
また、遊技者が球抜き操作を行っている間に、賞球払い出し装置２４から新たに払い出されたパチンコ球が貯留部２３に貯留され貯留部満杯センサＬＳ２がＯＮ状態に切り替わるといったことを抑制する効果もある。
【００８８】
上記実施形態では、本発明の一実施形態に係るパチンコ遊技機１は、機構的に球抜き孔３４の開閉を切り替える開閉機構３３を備えている例を挙げて説明した。しかし、本発明はこれに限定されるものではない。
【００８９】
例えば、パチンコ遊技機１において、開閉機構３３の代わりに、球抜き孔３４の開閉を電磁弁によって切り替える開閉機構１３３を備えていても良い。
【００９０】
開閉機構１３３は、図１０に示すように、球排出口開閉ソレノイド弁１３３Ａ、球抜き操作ボタン１３３Ｂ、図１１に示す球抜き操作センサ１３３Ｃ、を有している。なお、球抜き操作センサ１３３Ｃは、球抜き操作ボタン１３３Ｂに内蔵されている。図１１において、前記図４と同一符号を付した部分は夫々同一部材、同一部分を示している。
【００９１】
球抜き操作ボタン１３３Ｂが正面から背面へと向かう方向に押圧されると、球抜き操作ボタン１３３Ｂが押圧されているのを球抜き操作センサ１３３Ｃが感知してＯＮ状態になる。そして、主制御基板２５は、払出制御基板２２を介して球抜き操作センサ１３３ＣがＯＮ状態になったことを検知すると、球排出口開閉ソレノイド弁１３３Ａを駆動し球抜き孔３４を開放する。
【００９２】
図１２は、図１０に示す開閉機構１３３を備えるパチンコ遊技機１において、パチンコ球の払い出しの流れを示す制御フローの一例を示す図である。以下、図１２を用いて、パチンコ球払い出し時の払出制御基板２２の制御の流れについて説明する。
【００９３】
ステップＳ５０では、払出制御基板２２は、球抜き操作ボタン１３３Ｂが正面側から背面側へ向かって押圧されているか否かを球抜き操作センサ１３３Ｃにより検知する。より具体的には、球抜き操作ボタン１３３Ｂが押圧されると球抜き操作センサ１３３ＣがＯＮ状態となり、払出制御基板２２へ球抜き操作センサ１３３ＣがＯＮ状態であることを示す信号が送信される。
【００９４】
ステップＳ５１では、払出制御基板２２は、受け皿満杯センサＬＳ１がＯＮ状態か否かを判定する。ここで、受け皿満杯センサＬＳ１がＯＮ状態の場合には、払い出し予定賞球数が規定個数以下であるか否かをさらに判定し（ステップＳ５２）、規定個数以下の場合にはステップＳ５８へと進む。また、受け皿満杯センサＬＳ１がＯＦＦ状態の場合には、ステップＳ５３の処理へと進む。
【００９５】
ステップＳ５３では、払出制御基板２２は、球抜き操作ボタン１３３Ｂを遊技者が３秒間押下しなければ操作入力を受け付けない長押し設定に変更する。これにより、遊技者の誤操作によって球抜き孔３４が開いてしまうといったことを防止する効果もある。
【００９６】
払出制御基板２２は、球抜き操作ボタン１３３ＢがＯＮ状態であるか否かを判定する（ステップＳ５４）。そして、球抜き操作ボタン１３３Ｂが押下されている場合にはステップＳ５５へと進み、払出制御基板２２は液晶モニタ３０に「本当に球抜きを実行しますか？」とのメッセージを表示させる。これにより、遊技者が不要な球抜き操作を行なうことを防止して、球抜き作業の負荷を減少させることができる。
【００９７】
ステップＳ５６では、払出制御基板２２は、球抜き操作ボタン１３３Ｂが３秒以上押下されたか否かを判定する。そして、３秒以上押下された場合には、液晶モニタ３０から「本当に球抜きを実行しますか？」との表示を終了させる（ステップＳ５７）。
【００９８】
ステップＳ５８では、払出制御基板２２は、球排出口開閉ソレノイド弁１３３Ａを駆動して球抜き孔３４を開放する。
【００９９】
ステップＳ５９では、払出制御基板２２は、球抜き操作ボタン１３３Ｂが正面から背面へと向かう方向へと押圧されておらず、球抜き操作センサ１３３ＣがＯＦＦ状態になっているか否かを判定する。そして、球抜き操作センサ１３３ＣがＯＦＦ状態になっている場合には、球排出口開閉ソレノイド弁１３３Ａを駆動して球抜き孔３４を閉鎖し（ステップＳ６０）、一連の処理を終了する。
【０１００】
なお、上記の実施例においては、ステップＳ５１にて受け皿満杯センサＬＳ１がＯＮ状態かを判定し、これがＯＦＦ状態の場合には、ステップＳ５３に進むようにプログラムされているが、これは受け皿６が満杯状態に無いにも関わらず、球抜き操作ボタン1３３Ｂが操作された場合に、誤操作であるか否かを確認すべく、遊技者に「本当に球抜き実行しますか？」と意思確認した上で、遊技者が球抜き操作ボタン１３３Ｂを３秒以上長押しした場合に限って、球排出口開閉ソレノイド弁１３３Ａを開放方向へ駆動する場合を想定したものである。
【０１０１】
しかし、この部分制御に関しては別段、上記実施例に限定されるものではなく、例えば、ステップＳ５１にて受け皿満杯センサＬＳ１がＯＦＦ状態と判定された場合に、ステップＳ５８に進んで球排出口開閉ソレノイド弁１３３Ａを開方向へ駆動するようにすれば、受け皿満杯センサＬＳ１が作動するまでは従来と同様に球抜き操作ボタン１３３Ｂが操作された場合は球抜き動作を即座に実行できるようにし、受け皿満杯センサＬＳ１が作動したのちは、払い出し予定数の大小に応じて操作手段の制御を行なうことで、無駄な球抜き操作を制限する働きをさせることが可能である。
【０１０２】
なお、上記実施形態では、パチンコ遊技機１において受け皿が一つだけ備えられている例を挙げて説明した。しかし、本発明はこれに限定されるものではない。
【０１０３】
例えば、パチンコ遊技機１において、受け皿を２つ以上備えていてもよい。この場合にも、上記実施形態に係るパチンコ遊技機１と同様の効果を得ることができる。
【０１０４】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【図面の簡単な説明】
【０１０５】
【図１】パチンコ遊技機の全体構成を示す斜視図である。
【図２】背面視におけるパチンコ遊技機の構成を模式的に示す図である。
【図３】背面視におけるパチンコ球の供給経路を模式的に示す図である。
【図４】パチンコ遊技機全体の構成を模式的に示す図である。
【図５】パチンコ遊技機における主制御基板の大当たり処理を含む制御の流れを示すフローチャートである。
【図６】パチンコ遊技機における主制御基板の賞球コマンドの送信処理を含む制御の流れを示すフローチャートである。
【図７】図５に示す大当たり処理が実行された場合における主制御基板の制御の流れを示すフローチャートである。
【図８】パチンコ遊技機における払出制御基板の報知制御の流れを示すフローチャートである。
【図９】パチンコ遊技機における払出制御基板の払い出し制御の流れを示すフローチャートである。
【図１０】他の実施形態に係るパチンコ遊技機の全体構成を示す斜視図である。
【図１１】他の実施形態に係るパチンコ遊技機全体の構成を模式的に示すブロック図である。
【図１２】他の実施形態に係るパチンコ遊技機における払出制御基板の払い出し制御の流れを示すフローチャートである。
【符号の説明】
【０１０６】
１  パチンコ遊技機
２  筐体
３  外枠
４  遊技盤
６  受け皿
１０  発射ハンドル
２１Ａ  タンクレール
２１  上部タンク
２２  払出制御基板
２２Ａ  記憶部
２３  貯留部
２３Ｂ  タンク
２４  賞球払出装置
２５  主制御基板
３０  液晶モニタ
３３  開閉機構
３３Ａ  開閉シャッター
３３Ｂ  操作ボタン
３３Ｃ  ロックユニット
３３Ｄ  ピン
３３Ｅ  ロック解除ボタン
３４  孔
５０  主制御部
５１  払出モータ
５２  払出検知センサ
６０  演出用制御基板
６１  液晶表示ユニット
１３３  開閉機構
１３３Ａ  球排出口開閉ソレノイド弁
１３３Ｂ  操作ボタン
１３３Ｃ  操作センサ
Ａ  供給経路
ＬＳ１  受け皿満杯センサ
ＬＳ２  貯留部満杯センサ
【図１】
2009045206.tif 000003
【図２】
2009045206.tif 000004
【図３】
2009045206.tif 000005
【図４】
2009045206.tif 000006
【図５】
2009045206.tif 000007
【図６】
2009045206.tif 000008
【図７】
2009045206.tif 000009
【図８】
2009045206.tif 000010
【図９】
2009045206.tif 000011
【図１０】
2009045206.tif 000012
【図１１】
2009045206.tif 000013
【図１２】
2009045206.tif 000014